(57)【要約】陰極線管（ＣＲＴ：cathode ray tube）ディスプレイに表示した際のビデオ信号の美的欠点を、受像管特性（例えば赤、緑、青増幅器ならびに受像管の立ち上がり動作のスプレッド、温度ドリフトおよび老朽化）および受像管の両方を補償する事により、抑制するための方法および装置が開示される。１つの方法は、ディスプレイのスイッチオフの間に保存されていたビデオ信号のための利得設定を加えることである。他の方法は、第１および第２利得設定による第１および第２テストを行うことである。これらのテストの結果、ビデオ信号をアンブランクする時点が予測される。
2006504320.tif 000002
【特許請求の範囲】
【請求項１】
テレビジョンディスプレイがスイッチオンされる際に、ビデオ信号を改良させるための方法であって、
テレビジョンディスプレイのスイッチオフ状態が検出された際に、前記テレビジョンディスプレイの利得設定を保存するステップと、
スイッチオン状態が検出された際に、前記テレビジョンディスプレイへのビデオ信号をブランキングするステップと、
保存された利得設定を適用して、前記ビデオ信号を調整し、前記テレビジョンディスプレイのカソードのカットオフを調整するステップと、
前記テレビジョンディスプレイへの利得調整された前記ビデオ信号を、アンブランキングするステップと、
を備えることを特徴とする方法。
【請求項２】
保存された前記利得設定は、前記ディスプレイの赤、緑および青の増幅器ならびに受像管のスプレッド、温度ドリフトおよび老朽化の結果としての前記ビデオ信号の美的欠点を抑制する、ことを特徴とする請求項１に記載の方法。
【請求項３】
前記カソードを調整するステップをさらに備えることを特徴とする請求項２に記載の方法。
【請求項４】
前記カソードを調整するステップは、
前記受像管の前記カソードのカットオフを安定化させるために、偶数フィールドごとに、オフセット測定を行うステップと、
前記カソードの駆動レベルを安定化させるために、奇数フィールドごとに、利得測定を行うステップと、
を備えることを特徴とする請求項３に記載の方法。
【請求項５】
前記オフセット測定を行うステップは、垂直インターバルの間にテストラインを印加するステップを備えることを特徴とする請求項４に記載の方法。
【請求項６】
前記利得測定ステップは、前記オフセット測定を行うステップと前記テストラインの可視性との相互作用を防ぐために、チャンネル切り替えの間に開始されることを特徴とする請求項５に記載の方法。
【請求項７】
テレビジョンディスプレイがスイッチオンされる際に、ビデオ信号を改良させるための方法であって、
スイッチオン状態が検出された際に、テレビジョンディスプレイへのビデオ信号をブランキングするステップと、
前記ビデオ信号を投影する投影時点を予測するステップと、
前記テレビジョンディスプレイへの前記ビデオ信号を、予測された投影時点でアンブランキングするステップと、
を備えることを特徴とする方法。
【請求項８】
前記予測するステップは、
第１プリセット利得設定を用いて、第１テストを行うステップと、
第２プリセット利得設定を用いて、第２テストを行うステップと、
前記第１テストおよび前記第２テストの結果に基づいて、投影時点を計算するステップと、
を備えることを特徴とする請求項７に記載の方法。
【請求項９】
前記投影時点のための利得設定を計算するステップをさらに備え、
前記利得設定は、ＰＴＷが１となるように追加利得により増加された、前の利得に等しい、ことを特徴とする請求項８に記載の方法。
【請求項１０】
前記計算するステップは、陰極線管（cathode ray tube）についての、立ち上がりウォーム曲線または立ち上がりコールド曲線の関数であることを特徴とする請求項９に記載の方法。
【請求項１１】
計算された前記投影時点および計算された前記利得設定は、前記テレビジョンディスプレイの赤、緑および青の増幅器ならびに受像管のスプレッド、温度ドリフトおよび老朽化の結果としての画像の美的欠点を抑制することを特徴とする請求項９に記載の方法。
【請求項１２】
カソードを調整するステップをさらに備えることを特徴とする請求項７に記載の方法。
【請求項１３】
前記カソードを調整するステップは、
前記受像管の前記カソードのカットオフを安定化させるために、偶数フィールドごとにオフセット測定を行うステップと、
前記カソードの駆動レベルを安定化させるために、奇数フィールドごとに利得測定を行うステップと、
を備えることを特徴とする請求項１２に記載の方法。
【請求項１４】
前記オフセット測定を行うステップは、垂直インターバルの間にテストラインを印加するステップを備えることを特徴とする請求項１３に記載の方法。
【請求項１５】
前記利得測定を行うステップは、前記オフセット測定を行うステップと前記テストラインの可視性との相互作用を防ぐために、チャンネル切り替えの間に開始されることを特徴とする請求項１４に記載の方法。
【請求項１６】
テレビジョンディスプレイ装置であって、
スイッチオン状態が検出された際に、テレビジョンディスプレイへのビデオ信号をブランキングするための手段と、
前記ビデオ信号を投影する投影時点を予測するための手段と、
前記テレビジョンディスプレイへの前記ビデオ信号を、予測された投影時点でアンブランキングするための手段と、
を備えることを特徴とする装置。
【請求項１７】
前記予測手段は、
第１プリセット利得設定を用いて、第１テストを行うための手段と、
第２プリセット利得設定を用いて、第２テストを行うための手段と、
前記第１テストおよび前記第２テストの結果に基づいて、前記投影時点を計算するための手段と、
を備えることを特徴とする請求項１６に記載の装置。
【請求項１８】
前記投影時点のための利得設定を計算するための手段をさらに備えることを特徴とする請求項１７に記載の装置。
【請求項１９】
計算された前記投影時点および計算された前記利得設定は、前記テレビジョンディスプレイの赤、緑および青の増幅器ならびに受像管のスプレッド、温度ドリフトおよび老朽化の結果としての画像の美的欠点を抑制することを特徴とする請求項１８に記載の装置。
【請求項２０】
前記受像管の３つのカソードのカットオフを安定化させるために、偶数フィールドごとにオフセット測定を行うための手段と、
前記３つのカソードの駆動レベルを安定化させるために、奇数フィールドごとに利得測定を行うための手段と、
をさらに備えることを特徴とする請求項１６に記載の装置。
【発明の詳細な説明】
【技術分野】
【０００１】
本発明は、テレビジョンに関し、特に、赤、緑および青（ＲＧＢ）の増幅器ならびに受像管のスプレッド、温度ドリフトおよび老朽化の結果としての画像の美的欠点を抑制する、スイッチオン手順を有するテレビジョンに関する。
【背景技術】
【０００２】
テレビジョンがスイッチオンされると、視聴者は、画像が見えるようになるまで数秒間待たなければならない。このため、画像が見える前に、テレビジョンの音が聞こえるようになる。待ち時間（画像が現れる前の時間）が長すぎると、視聴者は退屈するかもしれない。しかしながら、画像の投影が早すぎる場合、画像は、美的欠点（例えば画質の悪さ）を負うことになる。従来製造されているテレビジョンには、多様なスイッチオン状態が存在するため、可能な最短の待ち時間により欠点のない画像を得ることは、困難である。
【０００３】
例えば、陰極線管（ＣＲＴ：cathode ray tube）ベースのディスプレイを有するテレビジョンの立ち上がりフェイズは、受像管の予熱時間を必要とする。受像管の構造および環境パラメータに応じ、このような余熱時間は、５〜１０秒かかる場合がある。この時間の間に、カソード周りでの電子放出は不定であり、これは、ぼやけて変色した、悪い画質をもたらす場合がある。立ち上がりフェイズの間に悪い画質を避けるために、ＣＲＴは、温まるまでの間、ブランクされる。
【０００４】
受像管の予熱の間における、管の電圧／電流（Ｖ／Ｉ）曲線は、どのくらいの期間テレビジョンがスイッチオフされていたかに依存する。例えば、温かい受像管（素早くスイッチオフし、再度オンにした結果など）の立ち上がりフェイズは、冷たい受像管の立ち上がり動作とは異なる。従前の設計における、スイッチオンの後の、受像管をアンブランキングするための固定遅延、または、アンブランキングするためのしきい値電流の検出は、最適な立ち上がりフェイズを提供していなかった。また、ブラック電流ループついての所定範囲内の検出器と組み合わせた（固定遅延を伴う）画像の投影は、立ち上がりフェイズの間に発生するさまざまな問題を解決していなかった。
【０００５】
画像のブランキングを行う特許の例としては、ダフィールド（Duffield）に対し発行された米国特許第５，１９４，９５４号、“AUTOMATIC CHANNEL SAMPLING PICTURE-IN-PICTURE CIRCUITRY”、センゴク（Sengoku）に対し発行された米国特許第４，７４８，４９７号、“TELEVISION RECEIVER AUTOMATIC COLOR TEMPERATURE ADJUSTING SYSTEM WITH START UP CONTROL”、ベーカー（Baker）らに対し発行された米国特許第４，１８８，６４１号、“STARTUP CIRCUIT FOR A TELEVISION RECEIVER”、およびショバネク（Chovanec）に対し発行された米国特許第４，１２９，８８５号、“WARM-UP COMPENSATION SYSTEM FOR PICTURE TUBE”が挙げられるが、これらのうちのいずれも、本発明のニーズを満たしていない。
【０００６】
以下により詳細に示されるように、本発明は、立ち上がりの際のテレビジョンにおいて画像をブランクする従来のスイッチオン手順とは、構造、方法論およびアプローチにおいて、大幅に異なる。
【発明の開示】
【発明が解決しようとする課題】
【０００７】
本発明は、ビデオ信号をテレビジョンまたは受像管に投影する前の時間を、顕著な美的欠点なしに最短化する、立ち上がり手順および回路を提供する。テレビジョン立ち上がり制御回路が、受像管特性（例えば赤、緑、青の増幅器ならびに受像管のスプレッド、温度ドリフトおよび老朽化）およびこのような受像管の温度動作（例えば温かい受像管および冷たい受像管の立ち上がり動作）の両方を、補償する。
【課題を解決するための手段】
【０００８】
一実施形態において、テレビジョンがスイッチ“オフ”された際に保存された、最後の利得設定を用いて、テレビジョンがスイッチ“オン”される際に、ビデオ信号を制御し、カソードカットオフおよび駆動レベルを安定化させる。このような利得設定は、受像管特性（例えばスプレッド、温度ドリフトおよび老朽化）からは独立している。他の実施形態においては、これらの特性および温度動作により固定される立ち上がり曲線を用いて、予測を行い、テレビジョンがスイッチ“オン”される際の最適な立ち上がり動作を達成することができる。
【発明を実施するための最良の形態】
【０００９】
ここで図１を参照すると、テレビジョン立ち上がり制御回路１０は、利得ループＬ１と、オフセットループＬ２と、ブランキング制御サブ回路Ｂ１と、を含んでおり、赤、緑および青（ＲＧＢ）の増幅器２８ならびに受像管７０のスプレッド（spread）、温度ドリフトおよび老朽化の結果としての、画像の美的欠点を抑制する。テレビジョン立ち上がり制御回路１０は、偶数フィールドごとに、オフセットループＬ２により、また、奇数フィールドごとに、利得ループＬ１により、連続的なカソードの調整を提供する。オフセットループＬ２におけるフィードバック信号は、アナログ信号である。偶数フィールドごとに、１０μＡ点の測定が行われ、３つのカソードのカットオフを安定化させる。オフセットループＬ２におけるキャパシタＣ１により、保持時間が短くなる。カットオフにおけるドリフトは、画像内容の変化により、非常に高速となる場合がある。
【００１０】
一方で、利得ループＬ１におけるフィードバック信号は、デジタル信号であり、その出力は、アナログ信号に変換される。奇数フィールドごとに、基準電流１５０または２２０μＡ点の測定を行い、３つのカソードの駆動を安定化させる。利得ループＬ１におけるデジタル−アナログ変換器（ＤＡＣ）４８のおかげで、保持時間が比較的長いので、４０ｍｓｅｃごとに測定を行う必要はない。さらに、利得におけるドリフトは、比較的に非常に遅い。
【００１１】
さらに図１を参照して、テレビジョン５における、テレビジョン立ち上がり制御回路１０の概略図を、詳細に説明する。テレビジョン立ち上がり制御回路１０は、ライン１２Ａにおけるビデオ入力ソース（ｖｉｄｅｏ）と、ライン１２Ｂにおける電圧基準ソース（Ｖｒｅｆ）とを備える。ライン１２Ａおよびライン１２Ｂは、スイッチＳＷ１に結合される。スイッチＳＷ１は、ラインＡに出力を有する。ラインＡは、それぞれスイッチＳＷ２およびＳＷ３を介して結合された、第１および第２テスト電流基準ソースＩｔｅｓｔ１およびＩｔｅｓｔ２を有する。
【００１２】
ラインＡ上の入力ソースは、また、乗算器２０（以下、“利得ループ乗算器２０”と称する）に結合される。利得ループ乗算器２０からの出力は、ラインＢにおいて、加算器２２（以下、“オフセットループ加算器２２”と称する）の入力に結合される。オフセットループ加算器２２からの出力は、ラインＣにおいて、ブランキング制御サブ回路Ｂ１の加算器２４（以下、“ブランキング加算器２４”と称する）に入力される。ブランキング制御サブ回路Ｂ１からの出力は、ラインＤにおいて、電流−電圧変換器２６に入力される。電流−電圧変換器２６の出力は、ラインＥにおいて、ＲＧＢ増幅器２８に入力される。ＲＧＢ増幅器２８からの出力は、テレビジョン５内の受像管７０に送られる。
【００１３】
ブランキング制御サブ回路Ｂ１を、ここで詳細に説明する。ブランキング制御サブ回路Ｂ１は、第１および第２ブランキング電流基準ソース３０および３２を含んでいる。第１および第２ブランキング電流基準ソース３０および３２は、第１および第２スイッチＳＷ４およびＳＷ５にそれぞれ結合されている。立ち上がりフェイズの間に、画像は、図４Ａ、図４Ｂおよび図４Ｃに示されているスイッチ状態に基づき、ブランキング制御サブ回路Ｂ１によってブランクされる。
【００１４】
ブラック電流ループ（例えば、利得ループＬ１およびオフセットループＬ２）を、ここで詳細に説明する。ＲＧＢ増幅器２８からの、ラインＧにおける、フィードバック電流Ｉは、利得ループＬ１およびオフセットループＬ２に供給される。本発明の好適な実施形態においては、電流ソース３４からの基準電流は、１０μＡ電流を供給し、スイッチＳＷ６を介してスイッチオンされる。フィードバック電流Ｉは、利得ループＬ１が非アクティブの場合、かつ、オフセットループＬ２がアクティブの場合に、ラインＧにおいて、スイッチＳＷ８を通り、キャパシタＣ１を介して、オフセットループ加算器２２に流れる。キャパシタＣ１は、グランドと、スイッチＳＷ８およびオフセットループ加算器２２との間に結合される。
【００１５】
一般的に、オフセットループＬ２の機能は、ＣＲＴのカソードのカットオフ電圧の安定化である。カットオフ測定が、偶数フィールド（４０ｍｓｅｃ）ごとに、オーバースキャン内の３つの連続するラインの間に実行される。受像管７０の一部である、電圧グリッド２（ＶＧ２）が、ハイテンション電圧（ＥＨＴ：high tension voltage）の負荷に依存するため、ループは、連続して調整される。テレビジョン用途向けには、ＥＨＴは、ほぼ３０ｋＶとすることができる。
【００１６】
利得ループＬ１がアクティブの場合、フィードバック電流Ｉは、ラインＧにおいて、それぞれ基準電流Ｉｒｅｆ１およびＩｒｅｆ２を受ける第１および第２演算増幅器３８および４０に供給される。第１演算増幅器３８は、アップ／ダウンカウンタ４２に供給する。演算増幅器４０の出力は、アップ／ダウンカウンタ４２と、受像管ウォーム（ＰＴＷ:Picture Tube Warm）レジスタ５２の両方に供給する。利得ループＬ１における、第１および第２演算増幅器３８および４０の動作は、以下の表１において示されている。
【００１７】
アップ／ダウンカウンタ４２は、入力として、ロード済プリセット利得（ＬＰＧ:Loaded Preset Gain）レジスタ５８、プリセット利得レジスタ５６、イネーブル利得ループ（ＥＧＬ:Enable Gain Loop）レジスタ５４およびＰＴＷレジスタ５２のレジスタ内容を受け取る。アップ／ダウンカウンタ４２の出力は、加算器４４に送られる。加算器４４は、また、入力として、白色点（ＷＰ:White Point）ＲＧＢ調整レジスタ６４のレジスタ内容を受け取る。ＷＰレジスタ６４およびカソード駆動レベル（ＣＬ:Cathode Drive Level）レジスタ６２は、製造業者により事前に格納されたデータを記憶しており、製造ラインにおいて、製造プロセス中に、テレビジョンを製造業者の仕様に従って調整するために用いられる。
【００１８】
動作において、利得ループＬ２がイネーブルされ、フィードバック電流がラインＧにおいて低すぎる（Ｉｒｅｆ１より低い）場合、アップ／ダウンカウンタ４２がカウントアップし、利得ループ乗算器２０への出力を、フィードバック電流がラインＧにおいてＩｒｅｆ１より上になるまで、ＤＡＣ４８を介して増加させる。ＰＴＷレジスタ５２は、Ｉ入力が＞５μＡの場合（フィードバック電流が、選択された１５０または２２０μＡのオフセット電流を超えた場合）、ハイであり、Ｉ入力が＜５μＡの場合、ローである。ＰＴＷレジスタ５２の状態は、演算増幅器４０の出力に基づいている。スイッチＳＷ７は、２つの電流ソース３６Ａおよび３６Ｂの間で切り替えられるようになっている。好適な実施形態においては、２つの電流ソース３６Ａおよび３６Ｂは、それぞれ２２０μＡおよび１５０μＡである。
【００１９】
利得ループＬ１は、受像管７０の白色点を安定化させる。したがって、赤、緑および青（ＲＧＢ）の増幅器２８ならびに受像管７０のスプレッド、温度ドリフトおよび老朽化に対して、利得は独立になる。利得ループＬ１は、ＥＧＬレジスタ５４からのバスビットにより、アクティブにされ、３つの連続ラインにおける奇数フィールドの間に、利得を調整する。好ましくは、利得ループＬ１は、特定の短い時間、例えばチャンネル切替えの間にのみアクティブとなり、利得ループＬ１およびオフセットループＬ２とテストラインの可視性との間の相互作用を防止する。
【００２０】
好適な実施形態において、利得ループＬ１の基準電流Ｉｒｅｆ１は、２００と１５０μＡの間で、任意に選択される。利得測定の結果は、状態利得測定レジスタ６０に格納され、スイッチオフモードの間は、外部メモリに格納され、テレビジョンが再度スイッチ“オン”された後に、プリセット利得レジスタ５６にロードされる。
【００２１】
白色点ＲＧＢ調整レジスタ６４、カソード駆動レベルレジスタ６２、および状態利得測定レジスタ６０は、加算器４４を介して組み合わされ、レジスタ４６に格納され、デジタル−アナログ変換器（ＤＡＣ）４８を介して利得乗算器２０を駆動し、ラインＡにおけるビデオソース１２Ａからのビデオ信号のための、最適な信号対ノイズ比（Ｓ／Ｎ）を得る。
【００２２】
プリセット利得がロードされると、利得ループＬ１がディセーブルされる。ＥＧＬがイネーブルされると、利得ループがイネーブルされる。ループの利得は、アップ−ダウンカウンタ４２の値により制御される。
【００２３】
利得ループ
ここで図４Ｂを参照すると、利得ループＬ１測定のためのスイッチＳＷ１，ＳＷ２，ＳＷ４，ＳＷ５，ＳＷ６およびアップ／ダウンカウンタ４２の状態が示されている。利得ループがアクティブの場合、ＥＧＬレジスタ５４は、“１”に等しく（ＥＧＬ＝１）、ＬＰＧレジスタ５８は、“０”に等しい（ＬＰＧ＝０）。３つの連続するラインの間、垂直ブランキングが終わる直前に、利得測定が、奇数フィールドごとまたは１つおきのフィールドごとに行われる。テストラインの間に、フィードバック電流Ｉが、表１に示されたパラメータに基づいてチェックされる。
【表１】
2006504320.tif 000003
【００２４】
プリセット利得レジスタ５６は、利得ループＬ１への入力（リード）であり、状態レジスタ６０は、利得ループＬ１からの出力（ライト）である。利得の状態は、外部メモリにロードすることができ（スイッチオフ状態の間、値を保持することができ）、スイッチオンの間に、プリセット利得レジスタに再ロードされる。
【００２５】
オフセットループ
ここで図４Ａを参照すると、オフセットループＬ１測定のためのスイッチＳＷ１，ＳＷ３，ＳＷ４，ＳＷ５，ＳＷ７およびＳＷ８の状態が示されている。オフセットループＬ２がアクティブである場合、利得ループＬ１はアクティブでない。オフセットループは、１つのフィールドにおいてアクティブであり、利得ループは他のフィールドにおいてアクティブにすることができる。オフセットループは、３つのチャンネルのカットオフレベルを制御する。３つの連続ラインの間、垂直ブランキングが終わる直前に、オフセット測定が行われる。オフセットループＬ２がアクティブの場合、ＥＧＬレジスタ５４は“０”に等しく（ＥＧＬ＝０）、ＬＰＧレジスタ５８は“１”に等しい（ＬＰＧ＝１）。アップ／ダウンカウンタ４２は、アクティブでない。ラインＧにおけるフィードバック電流は、利得決定のためにチェックされない。しかしながら、プリセット利得レジスタ５６に存在する値が、アップ／ダウンカウンタ４２にロードされ、利得ループ乗算器２０の利得が制御される。
【００２６】
立ち上がりフェイズ
ここで図４Ｃを参照すると、立ち上がりフェイズにおける、スイッチＳＷ１，ＳＷ２，ＳＷ４，ＳＷ５，ＳＷ６の状態およびＰＴＷレジスタ５２のリード状態が示されている。立ち上がりフェイズの間、ＥＧＬレジスタ５４は“１”に等しく（ＥＧＬ＝１）、ＬＰＧレジスタ５８は“１”に等しい（ＬＰＧ＝１）。テストラインは、利用可能であるが、利得ループＬ１は、アクティブでない。代わりに、利得ループＬ１の利得が、プリセット利得レジスタ５６において、プリセット利得値によって固定される。ＰＴＷレジスタ５２の状態ビットは、Ｉ入力＞５μＡの場合、ハイ（“１”）になる。
【００２７】
立ち上がりフェイズの間に、テレビジョンがスイッチ“オン”されると、プリセット利得レジスタ５６に、状態利得レジスタ６０内の情報がロードされる。回路１０の設計を簡素にするために、状態レジスタ６０は、外部メモリの一部であると仮定されている。テレビジョンがスイッチ“オフ”されると、状態レジスタ６０の値が、外部メモリに格納される。テレビジョンがスイッチ“オン”された後、外部メモリに格納された値が、プリセット利得レジスタ５６にロードされ、画像が投影される前に、ソフトウェア立ち上がりアルゴリズムの定義に使用することができる。
【００２８】
立ち上がりフェイズの間の動作において、スイッチＳＷ１が、垂直ブランキング期間の間にビデオ信号をディセーブルにし、ブランキングが、テストラインの間を除いて、スイッチＳＷ５によって挿入される。３つの連続するラインの間、垂直ブランキングが終わる直前に、利得測定が行われる。１つのフィールドにおいて、オフセットループが、ＣＲＴのカソードのカットオフを制御し、他のフィールドにおいて、カソードの利得（駆動レベル）が安定化される。テストパルスが、スイッチＳＷ２およびＳＷ３によって、内部で生成される。立ち上がりフェイズの間、ＥＧＬは“１”に等しく、ＬＰＧは“１”に等しく、プリセット利得レジスタ５６の値は、状態レジスタ＋“ｘ”の前の値に等しく、ここで、ｘの値は、利用者のソフトウェアによって固定される。ソフトウェア立ち上がりアルゴリズムが、“ｘ”の値を決定する。ＲＥＤ利得測定の間に、入力電流が５μＡを超えると、ＰＴＷ状態ビットが、“０”から“１”に切り替わる。
【００２９】
本発明に係る立ち上がり手順において、受像管の投影の前の時間を、美的欠点なしに最短化することができる。従来の立ち上がりシステムにおいては、このような解決方法は、一般的に、受像管特性（例えばＲＧＢ増幅器２８および受像管７０のスプレッド、温度ドリフトおよび老朽化）と温度動作（例えば温かい受像管および冷たい受像管の立ち上がり動作）を、区別していなかった。これらの特性および温度動作により固定される立ち上がり曲線を予測することにより、変化する特性および温度動作に対して、最適な立ち上がり動作を達成することが可能である。
【００３０】
立ち上がりフェイズの間、画像が、ブランキング制御サブ回路Ｂ１によって、垂直インターバル（オーバースキャン）においてのみ、ブランクされ、テストラインがオフセットループＬ２の間にブラック電流ループ向けに生成される。立ち上がりフェイズの間、利得ループＬ１を用いて、受像管７０が（ほぼ）温かいかどうかがチェックされ、あるいは立ち上がり曲線が予測される。ＲＧＢ出力のテストパルスのレベルは、ＷＰレジスタ６４、ＣＬレジスタ６２および状態利得測定レジスタ６０と共にソフトウェアにより選択することができる。
【００３１】
テレビジョン製造業者は、一回の簡素なチェックを行って、画像を投影することができる。ソフトウェアにより自由に選択される、特定のテスト電圧において、受像管７０のフィードバック電流が、チェックされる。フィードバック電流が、選択された１５０または２２０μＡのオフセット電流を超えると、ＰＴＷ（Picture Tube Warm）レジスタ５２が、“１”となる。メモリ設定を再ロードした後、画像を、追加的な固定遅延期間をおいて、またはおかずに、投影することができる。
【００３２】
ここで図２に参照されるように、より良い予測のために、保存された立ち上がり曲線データを使用し、２回のチェック（例えばテスト１およびテスト２）を行うことにより、２つの交点を生成する。その後、テスト１およびテスト２の測定結果を用いて、受像管の最適な投影時点（ｔｘ遅延）および条件を、計算する。テスト１およびテスト２は、利得乗算器２０を制御するための異なるプリセット値（ソフトウェアアルゴリズムによって保存および決定）による、ＰＴＷのチェックである。
【００３３】
図２の曲線は、温かい受像管７０および冷たい受像管７０において、テレビジョンがスイッチ“オン”された後の、美的欠点を抑制した画像の異なる投影時点を示している。曲線Ｃ１００は、温かいＣＲＴのための好適な立ち上がり曲線である。曲線Ｃ１１０は、冷たいＣＲＴのための好適な立ち上がり曲線である。
【００３４】
温かいＣＲＴにテスト１およびテスト２を行うにあたり、点Ｐ１００およびＰ１０２が作成される。点Ｐ１００およびＰ１０２の時間差は、時間Ｔ１である。容易に理解できるように、製造業者が、受像管７０の特性が点Ｐ１０３に達した際に画像を投影したい場合、回路１０は、時間Ｔ１の遅延（最適な投影時点）の後にブランキングを解除する。ここで、時間Ｔ１の遅延は、点Ｐ１０２と点Ｐ１０３の時間差である。
【００３５】
冷たいＣＲＴにテスト１およびテスト２を行うにあたり、点Ｐ１００’およびＰ１０２’が作成される。点Ｐ１００’およびＰ１０２’の差は、時間Ｔ２である。容易に理解できるように、製造業者が、受像管７０の特性が点Ｐ１０３’に達した際に画像を投影したい場合、回路１０は、時間Ｔ２の遅延（最適な投影時点）の後にブランキングを解除する。ここで、時間Ｔ２の遅延は、冷たいＣＲＴ立ち上がり曲線Ｃ１１０上の、点Ｐ１０２’と点Ｐ１０３’の時間差である。
【００３６】
立ち上がり手順
ここで図３を参照すると、本発明に基づく立ち上がり手順の概略フローチャートが示されており、ステップ１００で開始している。ステップ１００において、スイッチ“オフ”状態が判断される。ステップ１００に続く、ステップ１０５において、利得設定が保存される。ステップ１０５に続く、ステップ１１０において、スイッチ“オン”状態が判断される。ステップ１１０に続く、ステップ１１５において、テレビジョンがスイッチ“オン”され、立ち上がりの間に画像がブランクされる。ステップ１１５に続く、ステップ１２０において、テスト電圧またはテストラインが、垂直インターバル（オーバースキャン）の間に印加され、オフセットループＬ２を介してカットオフが安定化される。テスト電圧またはテストラインを印加する際は、ＬＰＧを、“１”に設定し、ループの利得を、プリセット値レジスタ５６が外部メモリ＋“ｘ”に記憶されたプリセット値に等しく設定されるように、固定する。ＥＧＬは、“１”に設定され、テストラインが、自動的に生成される。
【００３７】
ステップ１２０に続く、ステップ１２５において、ＰＴＷが“１”になり、メモリ設定が再ロードされる。ステップ１２５に続く、ステップ１３０において、追加的な遅延なしに、画像が投影され、ブランキングが除去される。プリセット利得レジスタ５６内のプリセット値は、元のプリセット値に等しい。さらに、ＥＧＬレジスタ５４が、“０”に等しく設定され（任意）、ＬＰＧレジスタ５８が、“０”に等しく設定される。
【００３８】
通常の動作の間は、外部メモリ設定は、状態ビットの最後の結果に等しい。立ち上がりフェイズの間のみ、プリセット利得値は、状態ビットと異なり、これによって、フィードバック電流がオフセット電流を超え、ＰＴＷレジスタ５２が“１”になるようにしている。
【００３９】
ここで図５を参照すると、図２の曲線を使用した、本発明に基づく立ち上がり手順の概略フローチャートが示されており、ステップ２００で開始している。ステップ２００において、画像は、立ち上がりの間ブランキングされている。立ち上がりの間、テレビジョンは、スイッチ“オン”されている。ステップ２００に続く、ステップ２０５において、第１テスト電圧またはテストラインが、垂直インターバル（オーバースキャン）の間に印加される。テスト電圧またはテストラインを印加する際は、ＬＰＧを“１”に設定し、ループの利得を固定する。プリセット値は、プリセット値＋“ｘ”に等しい。ＥＧＬは、“１”に設定され、テストラインが、自動的に生成される。ステップ２０５に続く、ステップ２１０において、第２テストが、異なるプリセット値を用いて行われる。ステップ２１０に続く、ステップ２１５において、受像管７０の最適な投影時点ｔｘおよび条件が、計算される。
【００４０】
ステップ２０５におけるテスト１の間、垂直インターバル（オーバースキャン）の間の第１テスト電圧またはテストラインが、印加される。これは、ＬＰＧ＝１およびＥＧＬ＝１により自動的に行われ、プリセット値は、プリセット値＋“ｘ１”に等しい。テスト１の間、ＰＴＷレジスタ５２がチェックされる。ステップ２１０におけるテスト２の間、垂直インターバル（オーバースキャン）の間の第２テスト電圧またはテストラインが、チェックされる。ここで、プリセット値は、プリセット値＋“ｘ２”に等しい。再びテスト２の間に、ＰＴＷレジスタ５２がチェックされる。
【００４１】
本発明のさまざまな修正および代わりの実施形態が、上述の説明に鑑みて、当業者に明らかとなるであろう。したがって、この説明は、例示のみとして解釈されるものであり、当業者に対し、本発明を実施するための最良の形態を教示することを目的としている。実施形態の詳細は、本発明の要旨から逸脱することなく、変更することが可能であり、添付の特許請求の範囲内のすべての修正の独占使用は、留保される。
【図面の簡単な説明】
【００４２】
【図１】図１は、本発明に係るテレビジョン用のテレビジョン立ち上がり制御回路の概略図を示している。
【図２】図２は、美的欠点を抑制した、温かい受像管および冷たい受像管のスイッチオン後の、画像の異なる投影時点のグラフ表示を示している。
【図３】図３は、本発明に係る立ち上がりフェイズの概略フローチャートを示している。
【図４Ａ】図４Ａは、本発明に基づくオフセットループ測定のスイッチング図を示している。
【図４Ｂ】図４Ｂは、本発明に基づく利得ループ測定のスイッチング図を示している。
【図４Ｃ】図４Ｃは、本発明に基づく立ち上がりフェイズのスイッチング図を示している。
【図５】図５は、本発明に係る立ち上がりフェイズの第２の実施形態の概略フローチャートを示している。
【図１】
2006504320.tif 000004
【図２】
2006504320.tif 000005
【図３】
2006504320.tif 000006
【図４Ａ】
2006504320.tif 000007
【図４Ｂ】
2006504320.tif 000008
【図４Ｃ】
2006504320.tif 000009
【図５】
2006504320.tif 000010
【国際調査報告】
2006504320.tif 000011
2006504320.tif 000012
2006504320.tif 000013
2006504320.tif 000014
2006504320.tif 000015